(57)【要約】      （修正有）【課題】故人の生前の想いと遺族の気持ちに寄り添うことを目的とする火葬に適した補聴器型副葬品を提供する。【解決手段】補聴器型副葬品１０は、易燃性材料又は可燃性材料から形成される補聴器型のケース本体１１と、ケース本体に設けられた開口部１２とを備え、ケース本体の内側には開口部に連通する空洞部が設けられる。空洞部にはメッセージカードが収容される。【選択図】図１
0003224089.tif 000002
【実用新案登録請求の範囲】
【請求項１】
易燃性材料又は可燃性材料から形成される補聴器型のケース本体と、
当該ケース本体に設けられた開口部とを備え、
前記補聴器型のケース本体の内側には前記開口部に連通する空洞部が設けられることを特徴とする補聴器型副葬品。
【請求項２】
前記補聴器型のケース本体の表面にスイッチ形状を模した複数の凸状部からなるギロ部を備えることを特徴とする請求項１に記載の補聴器型副葬品。
【請求項３】
前記空洞部にはメッセージカードが収容されることを特徴とする請求項１又は２に記載の補聴器型副葬品。
【考案の詳細な説明】
【技術分野】
【０００１】
本考案は補聴器型副葬品に関する。
【背景技術】
【０００２】
古代より種々の副葬品が死者と共に埋葬されてきた。副葬品とは、死者を埋葬するときに、遺体に添えて納める品物をいう。副葬は世界共通の風習であり、現在の日本でも副葬品が納棺されて荼毘に付されている。従来、冥銭、生花などの他、衣服、飲食物、嗜好品、手紙、千羽鶴など、故人の愛用品、故人と遺族が共有する思い出の詰まった品、遺族の故人を想う気持ちを表す品などが副葬品とされてきた。近年、「終活」という用語が一般に用いられるようになってきているように、自分らしい最期、或いは故人らしい最期を演出するため、副葬品に対するニーズも多様化している。
【０００３】
例えば、眼鏡、酒器、ゴルフ用具、釣竿、カラオケマイクなどの故人が生前使用していた物や故人の趣味に関する物を副葬品としたいといったニーズがある。しかしながら、日本では火葬が主流であり、火葬時の燃焼条件等から副葬品に対する種々の制約がある。例えば、金属製品やセラミックなどは火葬温度では燃焼しないため副葬品には適さない。また、硝子製品やプラスチック製品の場合、溶融して遺骨に付着したり、炉を損傷する恐れがある。さらに、塩化ビニルなどの塩素を含むプラスチック製品の場合、火葬時の燃焼条件では燃焼温度が低いためダイオキシンなどの有害物質を発生する場合がある。従って、故人や遺族が副葬したいと望んでも、火葬の際、眼鏡等上記列挙した物は納棺することのできない場合が多かった。
【０００４】
このようなニーズを受けて、例えば、特許文献１には火葬温度で燃焼したときに有害ガスを発生しないバイオプラスチックから形成した埋葬用の眼鏡が提案されている。また、眼鏡、酒器、ゴルフ用具、釣竿、カラオケマイクなどを模した木製の副葬品なども市販されるようになっている。
【０００５】
ところで、特許文献２に開示されるような耳かけ型補聴器を使用しながらアクティブに日常生活を過ごす高齢者も多い。補聴器ユーザにとって、補聴器は身体の一部といっても過言ではない。しかしながら、補聴器はプラスチック製の筐体内に電子回路を搭載した精密電子機器であり、火葬には適さない。そのため、現状では故人が生前使用していた補聴器を副葬したいと望んでも、納棺することができない場合が多かった。また、現在、副葬用の補聴器も存在しないため、市場では補聴器型の副葬品が求められている。
【先行技術文献】
【特許文献】
【０００６】
【特許文献１】実用新案登録第３１９１３１８号公報
【特許文献２】特許第６２００６１６号公報
【考案の概要】
【考案が解決しようとする課題】
【０００７】
一方、可燃性の物であっても、例えば、分厚い書籍やぬいぐるみなどの場合は、燃焼に時間を要することや大量の灰が発生するなどの理由から副葬品とすることができない場合がある。そこで、副葬品については、可燃性であることに加えて、燃焼しやすい形状等であり、灰の発生量が少ないことなども求められる。
【０００８】
そこで、本考案の課題は火葬に適した補聴器型副葬品を提供することにあり、補聴器型副葬品を提供することで故人の生前の想いと遺族の気持ちに寄り添うことを目的とする。
【課題を解決するための手段】
【０００９】
本考案に係る補聴器型副葬品は、易燃性材料又は可燃性材料から形成される補聴器型のケース本体と、当該ケース本体に設けられた開口部とを備え、前記補聴器型のケース本体の内側に前記開口部に連通する空洞部が設けられることを特徴とする。
【００１０】
本考案に係る補聴器型副葬品において、前記補聴器型のケース本体の表面にスイッチ形状を模した複数の凸状部からなるギロ部を備えてもよい。
【００１１】
本考案に係る補聴器型副葬品において、前記空洞部にはメッセージカードが収容されることも好ましい。
【考案の効果】
【００１２】
本考案によれば、易燃性材料又は可燃性材料から形成された補聴器型のケース本体によって、生前補聴器を使用していた故人を納棺する際に一緒に補聴器型のケース本体を納棺することができる。また、補聴器型のケース本体の内部は空洞部とされているため、火葬時に容易に燃焼させることができ、当該補聴器型副葬品に起因する灰の発生量を少なくすることができる。さらに、補聴器型のケース本体には開口部が設けられており、当該開口部はケース本体の内側の空洞部に連通しているため、例えば、遺族からのメッセージカードなどを小さく折りたたむなどして収容することができる。故人の耳に故人の身体の一部のようになっていた補聴器に似た補聴器型のケース本体を装用させて納棺する或いは故人の耳の近くに載置して納棺することで、故人が死後の世界で聴こえに不自由しないようにといった、遺族の想いに寄り添うことができる。
【図面の簡単な説明】
【００１３】
【図１】本考案の実施の形態の補聴器型副葬品の外観を表す上面図（ａ）及び側面図（ｂ）である。
【図２】図１に示す補聴器型副葬品の断面図（ａ）及び補聴器型副葬品の空洞部に収容可能なメッセージカードの外観及び使用形態を説明するための図（ｂ）である。
【考案を実施するための形態】
【００１４】
以下、本考案に係る補聴器型副葬品の実施の形態を図面を参照しながら説明する。図１に本実施の形態の補聴器型副葬品１０の上面図（ａ）及び側面図（ｂ）を示す。図１に示す補聴器型副葬品１０は、補聴器型のケース本体１１と、当該ケース本体１１に設けられた開口部１２とを備え、図２に示すようにケース本体１１の内側には開口部１２に連通する空洞部１３が設けられている。
【００１５】
補聴器型のケース本体１１は、例えば、生前故人が使用していた補聴器が耳かけ型補聴器の場合には装用させた際の外観が生前と似た外観とすることができる。図１には、いわゆる耳かけ型補聴器と似た外観を呈し、耳かけ部１１ａと本体部１１ｂとを備える。当該ケース本体１１は、いわゆるモックアップと同様の方法により製造することができる。ケース本体１１は一体に形成してもよいし、パーツＡ、パーツＢのように複数のパーツに分けて形成し、各パーツを組み合わせるようにしてもよい。例えば、耳かけ部パーツと本体部パーツのように分けて形成してもよいし、ケース本体１１を上側パーツと下側パーツのように分けて形成してもよく、この点については特に限定されるものではない。
【００１６】
ケース本体１１の大きさは、一般的な耳かけ型補聴器の０．８倍〜１．２倍程度の大きさとすることが好ましく、等倍〜１．１倍程度の大きさとすることがより好ましい。例えば、納棺された故人の耳に当該補聴器型副葬品１０を装用等させる際に、生前故人が使用していた補聴器が耳かけ型補聴器の場合には大きさの差が大きくなると、遺族に違和感を生じさせるおそれがある。故人が生前使用していた補聴器が耳かけ型補聴器の場合には略同じ大きさとすることで、当該補聴器型副葬品１０に故人が死後の世界で聴こえに不自由することのないようにといった遺族の願いをより込めることが容易になる。
【００１７】
当該ケース本体１１は易燃性材料又は可燃性材料から形成される。易燃性材料又は可燃性材料として、例えば、木、紙、鑞、生分解性プラスチック、バイオマスプラスチックなどが挙げられる。易燃性材料又は可燃性材料は、例えば、自治体の条例などにより火葬場で副葬品として納棺することのできる材質であればよい。
【００１８】
ここで、生分解性プラスチック及びバイオマスプラスチックはバイオプラスチックと総称されることがある。生分解性プラスチックは、例えば、「通常のプラスチックと同様に使うことができ、使用後は自然界に存在する微生物のはたらきで、最終的に水と二酸化炭素に分解されるプラスチック」をいう。生分解性プラスチックは、微生物産生系、天然物系、化学合成系に大別される。微生物産生系として、例えば、ポリヒドロキシアルカノエート（ＰＨＡ）、バクテリアセルロースが挙げられる。天然物系として、例えば、キトサン／セルロース／デンプン、酢酸セルロース等が挙げられる。化学合成系として、例えば、ポリ乳酸（ＰＬＡ）、ポリブチレンサクシネート系（ＰＢＳ、ＰＢＳＡ）、ポリブチレンアジペートテレフタレート（ＰＢＡＴ）、変性ポリエチレンテレフタレート、ポリカプロラクトン（ＰＣＬ）、ポリグリコール酸（ＰＧＡ）、ポリビニルアルコール（ＰＶＡ）等が挙げられる。
【００１９】
バイオマスプラスチックは、例えば、「原料として再生可能な有機資源由来の物質を含み，化学的又は生物学的に合成することにより得られる分子量（Ｍｎ）１，０００以上の高分子材料をいう。（化学的に未修飾な非熱可塑性天然有機高分子材料は除く）」をいう。バイオマスプラスチックは、１００％バイオマス由来原料のバイオマスプラスチックと、部分的バイオマス原料のバイオマスプラスチックとに大別される。１００％バイオマス由来原料のバイオマスプラスチックとして、ポリ乳酸（ＰＬＡ）、ポリヒドロキシアルカノエート（ＰＨＡ）、バイオポリオレフィン（ＢＰＥ、ＢＰＰ）、ナイロン１１、ナイロン１０１０が挙げられる。部分的バイオマス原料のバイオマスプラスチックとして、例えば、バイオポリトリメチレンテレフタレート（ＢＰＴＴ）、バイオポリエチレンテレフタレート（ＢＰＥＴ）、バイオポリウレタン、バイオ不飽和ポリエステル、バイオポリカーボネート、ナイロン６１０、酢酸セルロース系（ＣＡ）等が挙げられる。なお、これら列挙した材料の中には、生分解性プラスチックであり、且つ、バイオマスプラスチックでもあるものもある。
【００２０】
ケース本体１１をこれらの材料から形成することにより、火葬時に有害物質等を生じさることなく良好に燃焼させることができる。
【００２１】
また、水彩絵の具、アクリル絵の具等の火葬時における環境負荷の低い材料により当該ケース本体１１の表面を彩色することも好ましい。ケース本体１１の表面を彩色することで、生前故人が使用していた補聴器をより正確に模すことができる。
【００２２】
本実施の形態の補聴器型副葬品１０は、ケース本体１１の表面にスイッチ形状を模した複数の凸状部１４ａからなるギロ部１４が設けられている。ギロは打楽器の一種で、表面に設けられた複数の凹凸を棒で擦ったり、叩くことによって演奏する楽器である。補聴器型副葬品１０は納棺されて荼毘に付されることを前提としているため、ケース本体１１の内側には電子回路等は収容されず、補聴器としての機能は有さない。しかしながら、ケース本体１１の表面にこのような音の鳴る仕掛けを設けることで、スイッチを押して補聴器の電源を投入するといった操作を想起させることができる。
【００２３】
また、ケース本体１１の空洞部１３は、例えば、図２（ｂ）に示すようなメッセージカード２０を小さく折り畳むことで収容可能な大きさを有することが好ましい。当該空洞部１３をメッセージカード２０の収容部とすることで、遺族の想いが記載されたメッセージカード２０を小さく折り畳むなどして収容させることで、故人の耳に遺族の想いを届けることができる。なお、補聴器型副葬品１０内の空洞部１３にメッセージカード２０が収容されるため、故人の配偶者等、故人に最も近かった遺族が他の人に知られることなく故人との思い出や故人に対する感謝の気持ち等をしたためることができる。
【００２４】
メッセージカード２０は、易燃性材料又は可燃性材料から形成される。例えば、和紙などの小さく折り畳みやすく、柔らかで高級感のある素材からなることが好ましい。
【００２５】
ケース本体１１に設けられた開口部１２は、折り畳んだメッセージカード２０を挿入可能な大きさであればよい。補聴器型副葬品１０を故人の耳に装用させたとき、或いは故人の耳の近くに載置したときに開口部１２が目立たないことが好ましい。
【００２６】
また、当該補聴器型副葬品１０は、例えば、桐箱等の木製の箱又は紙箱などに収容されることが好ましい。このような箱はサテンやビロードなどの光沢のある布地や織物により内装され、蓋が設けられていることが好ましい。説明書やのし等も添付されることが好ましい。親族や葬儀への参列者が供物として喪主に送る際などにこのような形態とすることが好ましい。
【００２７】
以上説明した本考案に係る補聴器型副葬品１０によれば、易燃性材料又は可燃性材料から形成された補聴器型のケース本体１１によって、生前使用していた補聴器が耳かけ型補聴器の場合には装用させた際の外観が生前と似た外観を再現することができる。また、補聴器型のケース本体１１の内部は空洞部１３とされているため、火葬時に容易に燃焼させることができ、当該補聴器型副葬品１０に起因する灰の発生量を少なくすることができる。さらに、補聴器型のケース本体１１には開口部１２が設けられており、当該開口部１２はケース本体１１の内側の空洞部１３に連通しているため、例えば、遺族からのメッセージカード２０などを小さく折りたたむなどして収容することができる。故人の耳に故人の身体の一部のようになっていた補聴器に似た補聴器型のケース本体１１を装用させて納棺する或いは故人の耳の近くに載置して納棺することで、故人が死後の世界で聴こえに不自由しないようにといった、遺族の想いに寄り添うことができる。
【００２８】
なお、上記実施の形態の補聴器型副葬品１０は本考案の一態様であり、本考案に係る補聴器型副葬品１０は本考案の趣旨を逸脱しない範囲において適宜変更可能である。例えば、図１及び図２に示す補聴器型副葬品１０は一例であり、ケース本体１１の形状や空洞部１３の形状、ギロ部１４の形状等は図１及び図２に示す形状等に限定されるものではない。例えばケース本体１１は、ポケット型補聴器や耳あな型補聴器に似た外観でも良い。さらにオーダーメイド補聴器の様に、生前または死後に故人の耳型を採取し、または故人が使用していたオーダーメイド補聴器その物から形状データを作成し、それらのデータを元にケース本体１１の外耳道に装用する部分を故人の耳型に合わせてオーダーメイドで作成することにより、故人が使用していたオーダーメイド補聴器と全く同じ形で作成しても良い。ケース本体１１の形状が異なる場合も、上記と同様に開口部１２と空洞部１３とを設け、空洞部１３にメッセージカード２０を収容するようにしてもよい。また、空洞部１３にはメッセージカード２０以外の物を収容してもよい。例えば、ケース本体１１がポケット型補聴器と似た形状及び大きさである場合、空洞部１３を広く確保することが容易になるため、写真などを収容してもよい。また、ギロ部１４は任意の構成である。空洞部１３にはメッセージカード２０以外のものを収容してもよいし、何も収容しなくてもよい。
【００２９】
また、本考案に係る補聴器型副葬品１０は火葬に適した副葬品であるが、当該補聴器型副葬品１０は必ずしも納棺したり、火葬する必要はない。補聴器を使用していた期間が長ければ長い程、補聴器は故人の身体の一部のようになっている。そのため、例えば、実際に使用していた補聴器を骨壺に収容して副葬し、当該補聴器型副葬品１０を仏壇等にお供えするなどしてもよい。また、お経などをしたためたメッセージカード２０を空洞部１３に収容し、遺族がお守りとして持ち歩くなどしてもよい。また、当該補聴器型副葬品１０を上記列挙した木、紙、鑞、生分解性プラスチック、バイオマスプラスチックから形成すれば、火葬の際だけではなく、埋葬の際に当該補聴器型副葬品１０を副葬品としたときも環境への負荷を小さくすることができる。
【符号の説明】
【００３０】
１０      ：補聴器型副葬品
１１      ：ケース本体
１１ａ    ：耳かけ部
１１ｂ    ：本体部
１２      ：開口部
１３      ：空洞部
１４      ：ギロ部
１４ａ    ：凸状部
【図１】
0003224089.tif 000003
【図２】
0003224089.tif 000004